(57)【要約】【課題】  多金種対応可能な紙幣の装填・回収機能を有する装置で、かつ装置を大型化することなく紙幣容量を確保し、さらに保守や運用上において保守性や操作性がよい紙幣入出金装置を提供する。【解決手段】  各金種毎の収納放出庫とリジェクト庫は紙幣入出金装置前面から見て奥行方向に並列に配置し、装填回収庫は、該収納放出庫とリジェクト庫に対して上下積層方向に配置し、前記リジェクト庫は装置の運用／保守形態に合わせて収納放出庫の前面側又は後面側に配置する。また、装填回収庫の前側に配置する紙幣搬送路は開閉可能とすることで、装填回収庫の前面側からの着脱が可能な構成とする。さらに、前記装填回収庫及びリジェクト庫で構成される紙幣収納部と、前記開閉可能な搬送路とは一本の双方向搬送路で接続する。【選択図】図３
2005208954.tif 000002
【特許請求の範囲】
【請求項１】
紙幣の投入又は受け取りを行う入出金口と、紙幣を判別する紙幣判別部と、紙幣を一時的に保管する一時保管部と、紙幣の収納又は放出を行う金種毎の複数の収納放出庫と、該収納放出庫への紙幣の装填又は該収納放出庫からの紙幣回収を行う装填回収庫と、前記紙幣判別部により判別不可となった紙幣を収納するリジェクト庫と、紙幣を搬送する搬送路とを有する紙幣入出金装置において、
前記収納放出庫は紙幣を水平姿勢で集積する縦置構造を有し、前記装填回収庫は紙幣を立位姿勢で集積する横置構造を有し、
前記収納放出庫と前記リジェクト庫は前記装置前面から奥行方向に並べて配置し、前記装填回収庫は前記収納放出庫及び前記リジェクト庫の上部であって且つ前記判別部の下部に配置することを特徴とする紙幣入出金装置。
【請求項２】
前記装填回収庫は、紙幣を繰り出す又は集積する操出又は集積機構を有し、
前記装置前面側に設けられた前記搬送路に沿って前記装填回収庫の操出又は集積機構を配置することを特徴とする請求項１記載の紙幣入出金装置。
【請求項３】
各部を制御する制御部を有し、
前記制御部は、前記入出金口に入金された紙幣を前記紙幣判別部で判別し、判別結果からリジェクト紙幣を前記入出金口に返却し、正常な紙幣を前記一時保管部に保管し、その後、前記一時保管庫に保管された紙幣を繰り出して前記紙幣判別部で再度判別し、この再度の判別結果の金種に対応する前記収納放出庫に収納し、再度の判別結果によりリジェクトと判別されたリジェクト紙幣を前記リジェクト庫に収納する入金処理を実行することを特徴とする請求項１記載の紙幣入出金装置。
【請求項４】
各部を制御する制御部を有し、
前記制御部は、前記収納放出庫に収納される紙幣を繰り出して前記紙幣判別部で判別し、判別結果からリジェクト紙幣を前記一時保管部に保管し、正常な紙幣を前記入出金口に集積し、その後、前記一時保管庫に保管された紙幣を繰り出して前記リジェクト庫に収納する出金処理を実行することを特徴とする請求項１記載の紙幣入出金装置。
【請求項５】
各部を制御する制御部を有し、
前記制御部は、前記装填回収庫に収納された紙幣を前記操出機構によって繰り出し、前記判別部で判別して前記一時保管部に保管した後、前記一時保管部の紙幣を繰り出して金種に対応する前記収納放出庫に紙幣を収納する装填処理を実行することを特徴とする請求項２記載の紙幣入出金装置。
【請求項６】
前記制御部は、前記収納放出庫に紙幣を収納した後、複数回の前記装填処理を繰り返し実行することを特徴とする請求項５記載の紙幣入出金装置。
【請求項７】
前記制御部は、前記紙幣判別部でリジェクトと判別された紙幣を前記装填回収庫内に備わる装填リジェクト庫に収納することを特徴とする請求項５記載の紙幣入出金装置。
【請求項８】
各部を制御する制御部を有し、
前記制御部は、前記収納放出庫に収納された紙幣を繰り出し前記一時保管部に保管した後、前記一時保管部の紙幣を繰り出し、前記紙幣判別部で判別して前記装填回収庫の前記集積機構によって収納する回収処理を実行することを特徴とする請求項２記載の紙幣入出金装置。
【請求項９】
前記制御部は、前記装填回収庫に紙幣を収納した後、前記回収処理を複数回繰り返し実行することを特徴とする請求項８記載の紙幣入出金装置。
【請求項１０】
前記制御部は、前記紙幣判別部でリジェクトと判別された紙幣を前記リジェクト庫に収納することを特徴とする請求項８記載の紙幣入出金装置。
【請求項１１】
前記リジェクト庫は、前記複数の収納放出庫の前面側又は後面側に配置することを特徴とする請求項１又は２記載の紙幣入出金装置。
【請求項１２】
前記装填回収庫の前面側に配置する前記搬送路の一部を開閉可能に構成し、
該搬送路の一部が開いた状態において前記装填回収庫を前記装置に対して水平方向で着脱可能に構成したことを特徴とする請求項１又は２記載の紙幣入出金装置。
【請求項１３】
前記一時保管庫と前記収納放出庫とを接続する前記搬送路は、前記紙幣判別部を介して紙幣を双方向に搬送する構成としたことを特徴とする請求項１又は２記載の紙幣入出金装置。
【請求項１４】
前記装填回収庫は、紙幣を繰り出す又は集積する操出又は集積機構を有し、
前記装置前面側に設けられた前記搬送路に対向する装置後面側に前記装填回収庫の操出又は集積機構を配置することを特徴とする請求項１記載の紙幣入出金装置。
【請求項１５】
前記装填回収庫の操出又は集積機構から、前記一時保管部と前記紙幣判別部とを接続する第１搬送路に接続する位置までの第２搬送路を、紙幣を双方向に搬送する構成としたことを特徴とする請求項１４記載の紙幣入出金装置。
【請求項１６】
各部を制御する制御部を有し、
前記制御部は、前記装填回収庫の前記操出機構によって収納された紙幣を繰り出し、前記紙幣判別部で判別した結果に応じて対応する金種の前記収納放出庫に収納する装填処理を実行することを特徴とする請求項１４又は１５記載の紙幣入出金装置。
【請求項１７】
前記制御部は、前記紙幣判別部でリジェクトと判別されたリジェクト紙幣を、前記装填回収庫内に具備された装填リジェクト庫に収納することを特徴とする請求項１６記載の紙幣入出金装置。
【請求項１８】
各部を制御する制御部を有し、
前記制御部は、前記収納放出庫に収納された紙幣を繰り出し、前記紙幣判別部で判別した後に前記装填回収庫の前記集積機構によって前記装填回収庫内に紙幣を収納する回収処理を実行することを特徴とする請求項１４又は１５記載の紙幣入出金装置。
【請求項１９】
前記制御部は、前記紙幣判別部でリジェクトと判別されたリジェクト紙幣を、前記リジェクト庫に収納することを特徴とする請求項１８記載の紙幣入出金装置。
【発明の詳細な説明】
【技術分野】
【０００１】
本発明は、紙幣入出金装置に係り、装置を大型化することなく入出金紙幣の金種増加に伴う収納放出庫の増設容易化及び紙幣容量の確保に有効な技術に関する。
【背景技術】
【０００２】
従来の紙幣入出金装置としては、特許文献１記載のように、紙幣の投入および受取を行う入出金口と、紙幣を判別する判別部と、入金紙幣を収納し、次の出金に備える金種別収納放出庫と、金種別収納庫に紙幣を一括して装填または該金種別収納庫に収納されている紙幣を一括して回収する装填回収庫と、上記判別部により金種の読み取りが不可と判定された紙幣や搬送状態が搬送不可と判定された紙幣等を排除、集積するリジェクト庫と、入金動作時時の取引中の紙幣および出金動作時のリジェクト紙幣等を一時収納しておく一時スタッカと、入出金口、判別部、金種別収納放出庫、リジェクト庫および一時スタッカを接続する紙幣搬送路を備え、上記収納放出庫、リジェクト庫及び装填回収庫が横置構造を有し、それらが上下積層方向に配置された紙幣入出金装置が開示されている。また、別の紙幣入出金装置としては、特許文献２に示すように、縦置型のスタッカを奥行方向への並列配置し、装填回収庫を配置しない紙幣入出金装置が開示されている。
【０００３】
【特許文献１】特開２００３−２０８６５４号公報
【０００４】
【特許文献２】特開平７−２６７５１３公報
【発明の開示】
【発明が解決しようとする課題】
【０００５】
上記特許文献１に示す紙幣入出金装置においては、装填回収庫やリジェクト庫は横置型の構造を有していることから、装置前面側あるいは後面側からこれらの金庫の着脱操作が可能であるといった保守／運用性は優れているものの、装置が取り扱う金種数が増加するにつれて、該収納放出庫が上方に積み重なるため、装置全体や入出金口の高さが高くなり、結果的に、装置の設置が不可能になる問題や、利用者の操作性が低下する問題が生じる。
【０００６】
また、リジェクト庫も横置型の構造を有し、金種毎の収納放出庫と同じように上下積層方向に配置されていることから、入出金口の高さの制限を受けやすく、小容量にせざるを得ない構造となってしまう可能性がある。リジェクト庫の容量が小さい場合、リジェクト紙幣による満杯による装置ダウンが発生しやすいという問題がある。
【０００７】
また、特許文献２に示すように、縦置型のスタッカや回収箱を金種増加に応じて奥行方向への並列に増設可能な構造であるが、装填回収庫を配置しないため、多金種対応としてのスタッカの増設は可能であるといった利点はあるものの、装填や回収作業においては紙幣入出金装置からスタッカや回収箱から構成される収納部を丸ごと引き出して、スタッカ毎に紙幣を装填、回収することになるため、装置の運用効率が非常に悪いという問題がある。また、入金口、出金口、紙幣識別装置及び紙幣を返却・取込み用に一時保留する一時保留部で構成される紙幣搬送部と、スタッカや回収箱で構成される紙幣収納部は複数の搬送路で接続されているため、ジャムが発生しやすく、さらにジャム発生時の復旧作業に時間がかかることから保守性が悪い、複数の搬送路が配置されているために装置が大型化になる等の問題がある。
【課題を解決するための手段】
【０００８】
上記課題の少なくとも一部を解決するために、本発明の紙幣入出金装置では、各金種毎の収納放出庫は紙幣を水平姿勢で集積する縦置構造を有し、装填回収庫は紙幣を立位姿勢で集積する横置構造を有し、各金種毎の収納放出庫とリジェクト庫は該紙幣入出金装置前面から見て奥行方向に並列に配置し、装填回収庫は、該収納放出庫とリジェクト庫に対して上下積層方向に配置する。また、前記リジェクト庫は装置の運用／保守形態に合わせて収納放出庫の前面側又は後面側に配置する。また、装填回収庫の前側に配置する紙幣搬送路は開閉可能とすることで、装填回収庫の前面側からの着脱が可能な構成とする。さらに、前記装填回収庫及びリジェクト庫で構成される紙幣収納部と、前記開閉可能な搬送路とは一本の双方向搬送路で接続する。
【発明の効果】
【０００９】
本発明では、多金種対応可能な紙幣の装填・回収機能を有する装置で、かつ装置を大型化することなく紙幣容量を確保し、さらに保守や運用上において保守性や操作性がよい紙幣入出金装置を提供することができる。
【発明を実施するための最良の形態】
【００１０】
以下に本発明の実施の形態を説明する。
【実施例１】
【００１１】
以下、本発明の紙幣入出金装置（紙幣取扱装置とも言う）の実施形態について図面を用いて説明する。
【００１２】
図１は紙幣入出金装置を実装する現金自動取引装置（ＡＴＭ）の外観を示す。現金自動取引装置１０１の構成要素には、利用者の取引カードや取引明細票を処理するカード／明細票処理機構１０２と、通帳を処理する通帳処理機構１０３と、装置を覆う筐体１０４と、取引に必要な情報を表示および入力する利用者操作部（単に操作部とも言う）１０５と、紙幣を入出金する紙幣入出金装置１がある。
【００１３】
図２は、現金自動取引装置１０１の制御関係を示すブロック図である。カード／明細票処理機構１０２、通帳処理機構１０３、利用者操作部１０５および紙幣入出金装置１はバス１１０を介して本体制御部１０６と接続しており、本体制御部１０６の制御指令により必要な動作を行う。上記の他に、装置に外部ユニットを接続するためのインタフェース部１０７と、係員が操作し、種々の情報の入力及び出力を実行する係員操作部１０８と、外部記憶装置１０９ともバス１１０で接続しており、必要なデータのやり取りを行う。上記に示す各機構、構成要素は、電源部１１１により電力を供給される。
【００１４】
図３は現金自動取引装置１０１に実装される紙幣入出金装置１の構成を示す図であり、図６は収納放出庫５などの構造も含めた制御機構を示す図である。紙幣入出金装置１は、紙幣を出し入れする入出金口２と、紙幣の金種や搬送状態を判別する紙幣判別部（単に判別部とも言う）３と、入金した紙幣を取引成立までの間一時的に収納する一時スタッカ（一時保管部）４と、入出金口２から入金された紙幣を収納する、又は出金取引時に紙幣を放出する金種別の収納放出庫（金種別収納庫、収納部とも言う）５ａ、５ｂ、５ｃ（本実施例では３金種）とを有する。また、金種別の収納放出庫５に各金種紙幣を装填する、または収納放出庫５から各金種紙幣を回収する装填回収庫（装填庫又は回収庫）６と、紙幣判別部３によって金種の読み取りが不可と判定された紙幣や搬送状態が搬送不可と判定された紙幣等を集積するリジェクト庫７と、紙幣入出金装置１の各構成要素を結び紙幣を搬送する搬送路８がある。更に、金種と紙幣サイズとの対応関係等を記憶した記憶部データベース９（紙幣判別部３の一機能として含むものでも良い）、本体制御部１０６とバス１１０を介して接続され、本体制御部１０６からの指令および紙幣入出金装置１の状態検出に応じて紙幣入出金装置１の制御を行い、紙幣入出金装置１の状態に関する情報を必要に応じて本体制御部に送る制御部１０を有する。なお、本体制御部１０６、制御部１０ともＣＰＵ、メモリ等から構成され、合わせて制御部とも言う。
【００１５】
図３の紙幣入出金装置１の内部レイアウトについて説明する。入出金装置１は紙幣を高速に搬送して大量の紙幣を取り扱うことから紙幣の長手を基準に搬送する。紙幣の長手方向が紙幣の搬送方向に対して垂直になるように搬送することである。これにより搬送路から収納庫５、装填回収庫６などの各収納ボックスに収納する（集積する）とき、各収納ボックスから搬送路へ紙幣を放出する（繰り出す）ときの紙幣の姿勢も、その収納方向又は放出方向に対して紙幣の長手方向が垂直になるようにしている。言い換えると、紙幣の短手方向で搬送することである。
【００１６】
ここで紙幣入出金装置１の取り扱う紙幣は日本国内のみならず、ユーロ紙幣やドル紙幣などの海外紙幣も対象にしている。日本国内の紙幣は一万円券、五千円券、千円券（２００４年発行予定の新札含む）などあるが紙幣の寸法、特に短手寸法が略７６ｍｍに統一されているのでボックスからの紙幣繰り出し動作などは問題がない。しかし、ユーロ紙幣は７金種あり、最小の５ユーロ紙幣の寸法は６２×１２０ｍｍ、最大の５００ユーロ紙幣は８２×１６０ｍｍあり、短手寸法で２０ｍｍの差がある。
【００１７】
このようなことから海外紙幣など、複数の金種を混合して収納する装填回収庫６は図示するように紙幣を立位姿勢で収納する。つまり寸法の小さい紙幣も大きい紙幣もその紙幣の長手が収納部の底面に整然と並べることができ、それら紙幣の繰り出し、集積動作も安定したものとなる。一方、収納庫５のように紙幣を水平姿勢で収納するタイプでは寸法が大きく異なる紙幣を繰り出すために紙幣の長手部分を揃えるための特別な機構が必要となる。そのため機構が複雑な収納庫５となってしまう問題がある。
【００１８】
従って、複数の金種の紙幣を同じ収納庫に収納する場合は装填回収庫６のように立位姿勢で収納可能な収納庫が望ましく、一金種の紙幣なら寸法も同じことから収納庫５のように水平姿勢で収納する収納庫が望ましい。
【００１９】
そして、この金種別の収納放出庫５は紙幣入出金装置１の前面から見て奥行方向に並列に、並べて配置している。このように、収納放出庫５を装置前後方向に並べているので、例えば図３の３金種扱える装置を４、５金種というように、取扱金種が増加するにつれ、奥行方向に金種別の収納放出庫を増設できる。装置の上下方向に収納庫を増設しないため、装置の高さが上方に向かって高くなるとの問題もない。なお、この収納放出庫５は紙幣を水平姿勢で収納することからその繰り出し・集積機構は収納庫の上部に取り付けられ、紙幣の繰り出し、集積処理が実行される。
【００２０】
また、リジェクト庫７は上述したとおり、紙幣判別部３による金種、真偽鑑別等により入金又は出金に適さない紙幣を収納する。このリジェクト紙幣は装置１より取り出す必要があることから、この紙幣入出金装置１の保守及び運用形態から、図３に示すように収納放出庫５ａ、５ｂ，５ｃの前面側に実装する。また装置の上下方向で双方向搬送する搬送路８（符号８ａ部分）の下側に実装する。このリジェクト庫７は収納部が２個含まれ、装置内でリジェクトされた紙幣と取り忘れ紙幣とを分ける形態が望ましい。なお、リジェクト庫７には紙幣を集積する機構だけで繰り出す必要はないことから紙幣は水平姿勢、立位姿勢のどちらで収納しても良い。しかし、図示するように一方を水平姿勢で収納し他方を立位姿勢で収納することでリジェクト庫７自身の小型化が図れる。
【００２１】
紙幣入出金装置１の上部ユニットは入出金口２と判別部３と一時保管庫４とを配置し、下部ユニットには紙幣を収納する各収納庫を配置している。よって下部ユニットのみを堅固な金庫筐体で覆うことも可能となる。そして下部ユニットには、装填回収庫６を収納放出庫５ａ，５ｂ，５ｃとリジェクト庫７の上部に配置している。後述するが装填回収庫６から繰り出された紙幣は一時保管庫４に一時的に保管され、金種に応じて各収納放出庫５ａ，５ｂ，５ｃに振り分けられる。その装填時にリジェクトされる紙幣はリジェクト庫７ではなく、装填回収庫６内の装填リジェクト庫（収納部）１２に収納される。この収納部１２は装填されている紙幣と分ける必要があるので、図示のように装置１の後面側に実装している。なお、装填時のリジェクト紙幣は一時保管庫４から判別部３を通過せずに収納部１２に直接搬送されることから、一時保管庫４と最も近い図示位置が良い。つまり、上部ユニットと、複数の収納庫（５ａ、５ｂ等）との間に装填回収庫６を実装する。
【００２２】
次に、図４の紙幣入出金装置１はリジェクト庫７を収納放出庫５ａ、５ｂ，５ｃの後面側に実装している点が図３と異なる。つまり、図４に示すリジェクト庫７は、図３に示すリジェクト庫７と比較して、図示上対称形となっている。装置１の最下段にある収納放出庫５ａ，５ｂ，５ｃ、リジェクト庫７とを縦置きタイプの収納庫とし、その実装に当たっては装置前後方向に並列に並べることで、リジェクト庫７の位置も自由に選択ができる。なお、リジェクト庫７は実際にも同一形状である。
【００２３】
搬送路８ａは図３，４にも共通で、紙幣を上下方向で、双方方向に搬送し、装填回収庫６から繰り出される紙幣又は装填回収庫６に集積する紙幣を搬送するためにも、装填回収庫６に隣接して、装置前側に実装される。また、収納放出庫５ａ、５ｂ，５ｃやリジェクト庫７で構成される紙幣収納部と装填回収庫６より上の部位（上部ユニット）と一本で接続している構造となっている。
【００２４】
図５を用いて装填回収庫６及びリジェクト庫７の取り出しについて述べる。
図５はリジェクト庫７が収納放出庫５ａ，５ｂ，５ｃの前面側に実装しているので（図３の内部レイアウト参照）、前後のＸ方向に着脱する。本実施例においては図示しないが、図４のリジェクト庫７を収納放出庫５ａ，５ｂ，５ｃの後面側に実装している場合は、後面側より取り出す。また、装填回収庫６の前面側搬送路８の一部（８ａ）はＹ方向に開閉が可能となっており、その開閉部から装填回収庫６が前方向Ｗに取り出し、後方向Ｗにセット可能となっている。従って係員又は保守員が紙幣を装填、補充、回収作業をする場合でも、搬送路８ａのみを開閉することで装填回収庫８を、装置に対して水平方向で着脱が可能となる。なお、装置運用形態によっては装置後面に開閉可能な扉を設け、後面側から装填回収庫８を取り出してよい。収納放出庫５ａ，５ｂ，５ｃは紙幣入出金装置１から取り外すことはなく、扉１３を開閉することで、運用／保守を行う。
【００２５】
以上、紙幣入出金装置（紙幣取扱装置）１の内部レイアウト、保守時の構成を主に説明したが、次に本装置による入金、出金等の各処理について説明する。なお、内部レイアウトとしては図３を使用し、その制御は図２の本体制御部１０６、図６の制御部１０（合わせて制御部、制御ユニット、制御手段とも言う）が実行する。
【００２６】
図７〜図９を用いて、本実施例の入金動作について述べる。図７は入金計数処理を示し、図８は入金収納処理を示す。
利用者は１枚乃至複数枚の紙幣を入出金口２に投入する。入出金口２はシャッタを閉め、入出金口内部に設置された分離操出機構により投入された紙幣を分離して装置内部の搬送路８に繰り出す（ステップ９０１）。搬送路８に繰り出した紙幣を、図中の矢印方向に搬送し、紙幣判別部３にて金種、枚数、真偽などを判別し（ステップ９０２）、同時にそれらを確定して一時スタッカ４に一旦収納する（ステップ９０３）。このとき、判別部３によってリジェクトされた紙幣は一時スタッカ４に収納せず、入出金口２に返却する。ここまでの処理が入金計数処理という。
【００２７】
続いて紙幣判別部３により判定された金種及び枚数から算出された合計金額金額を利用者操作部１０５に表示し、一方、利用者は投入した紙幣と同じであることを利用者操作部１０５の操作で確認する。操作部１０５に表示される確認キーの押下を検知し、その確定後は、図８に示すように、一時スタッカ４に一時的に収納した紙幣を繰り出す（ステップ９０４）。搬送路８に繰り出された紙幣は、図８中の矢印方向に搬送し、紙幣判別部３にて紙幣状態等を判別する（ステップ９０５）。このとき、金種が読み取れない、正常に搬送できない、または出金紙幣には適さない紙幣と判定したリジェクト紙幣であればリジェクト庫７に収納する。正常と判定した紙幣は、金種ごとに収納放出庫５ａ、５ｂ，５ｃに収納する（ステップ９０６）。
【００２８】
次に、図１０〜図１２を用いて、本実施例の出金動作について述べる。
利用者が利用者操作部１０５において出金額を入力操作後、操作の確定を行うと、図１０に示すように、収納放出庫５ａ、５ｂ，５ｃに収納している紙幣のうち、操作された希望金額の金種、枚数に応じて出金する紙幣を搬送路８に繰り出す（ステップ１２０１）。続いて搬送路８に繰り出した紙幣を紙幣判別部３にて金種、枚数、搬送状態などを判別する（ステップ１２０２）。判別不可能である紙幣は一時スタッカ４に搬送して一時的に保管し、正常に判別された紙幣は入出金口２に搬送、集積する（ステップ１２０３）。利用者が入出金口２から出金された紙幣を取り出す動作に前後して一時スタッカ４に保管されていたリジェクト紙幣を繰り出し（ステップ１２０４）、図１１に示すように搬送路８を経由してリジェクト庫７に集積する（ステップ１２０５）。なお、出金後に利用者が入出金口から取り忘れた紙幣は、取り忘れ紙幣を専用に集積するための取り忘れ回収庫１１に集積する。
【００２９】
次に本実施例の装填動作について図１３〜図１５を用いて述べる。装填動作は、例えば現金自動取引装置１０１を稼動する前に装置内に紙幣を装填する場合、または、運用時に装置内の紙幣の枚数が少なくなったときに装置内に紙幣を補充する場合に行う。装填動作ではまず填回収庫６を紙幣入出金装置１に装着する。紙幣入出金装置１への装填回収庫６の装着は、通常の運用時は搬送路を形成している装填回収庫６の前面側搬送路８の一部（８ａ）を開閉することで実施する。もちろん、紙幣入出金装置１の保守や運用形態によっては後面側から装填してもかまわない。
【００３０】
保守員又は銀行員などが金種の混合された紙幣を装填回収庫６に手詰めで収納してから装置内に装着し、例えば装填キーを押下すると、図１３に示すように、装填回収庫６に収納されている紙幣を繰り出す（ステップ１５０１）。この繰り出された紙幣を紙幣判別部３にて金種、枚数、紙幣状態などを判別する（ステップ１５０２）。そして所定枚数の紙幣を一時スタッカ４に集積する（ステップ１５０３）。なお、所定枚数は一時スタッカ４に集積可能な限度枚数で、例えば２００枚程度ある。続いて図１４に示すように一時スタッカ４から紙幣を繰り出す（ステップ１５０４）。このとき、ステップ１５０３にて金種が判別できない、汚損した紙幣などと判別されたリジェクト紙幣は、点線矢印に示すように判別部を通過する前に、装填回収庫６内に設けられた装填リジェクト庫１２に収納される。一方、ステップ１５０３にて正常と判定された紙幣は、再度判別部３にて金種等が判別され（ステップ１５０５）、この判別結果に応じた各金種毎に収納放出庫５ａ、５ｂ，５ｃへ収納する（ステップ１５０６）。なお、場合、その紙幣は一旦装ステップ１５０３にて正常と判定された紙幣が、ステップ１５０５にてリジェクトと判定された填回収庫６に戻され、収納される。上述したように、装填処理は一時スタッカ４の限度枚数があるため、一回の装填処理のみでは装填回収庫６に収納された紙幣を全て一度で繰り出すことができない。通常、装填回収庫に収納される紙幣量が、一時スタッカに一時保管される紙幣量より多いためである。従って、装填回収庫６に一旦戻された紙幣は、２，３回目の装填処理のときに繰り出され、つまりステップ１５０１以降を繰り返すことで、装填リジェクト庫１２又は収納放出庫５に収納される。
【００３１】
図１６〜図１８を用いて、本実施例の回収動作について述べる。紙幣回収は、例えば営業終了後に現金自動取引装置１０１内の各収納放出庫５ａ、５ｂ，５ｃ内の紙幣を回収する場合、または、運用中において収納放出庫５ａ、５ｂ，５ｃに収納されている紙幣の枚数が多くなることで収納放出庫５ａ、５ｂ，５ｃの満杯による装置ダウンを防止するため等、現金自動取引装置１０１内の紙幣を回収する必要が生じた場合に行う。図１６に示すように、収納放出庫５ａ、５ｂ，５ｃに収納された紙幣を繰り出した後（ステップ１８０１）、一時スタッカ４に集積する（ステップ１８０２）。このとき、判別部３を介して紙幣は搬送されるが、収納放出庫に収納されている紙幣は既に金種、枚数等が確定された正券のため判別部での紙幣判別は実行されない。続いて図１７に示すように、一時スタッカ４から紙幣を繰り出し（ステップ１８０３）、判別部で金種等が判別され（ステップ１８０４）、搬送路８を経由して装填回収庫６に紙幣を回収する（ステップ１８０５）。ステップ１８０５における判別部３によるリジェクト紙幣はリジェクト庫７に収納される。回収作業終了後、装填回収庫６を紙幣入出金装置１から取り外すことで回収動作を完了する。そしてこの回収処理を収納放出庫５の紙幣が空になるまで、又は装填回収庫の紙幣が満杯になるまで複数回実行する。
【００３２】
リジェクト紙幣の回収は、リジェクト庫７をそのまま取り外すことで実施する。リジェクト庫７の取り出しは、前述の図３に示すようにリジェクト庫７が収納放出庫５ａ、５ｂ，５ｃの前面側に実装されている場合は前面側から、また図４に示すように収納放出庫５ａ、５ｂ，５ｃの後面側に実装されている場合は後面側からというように装置の保守及び運用形態から自由に選択できる。
【００３３】
また、上記の回収動作と装填動作のうち、装填回収庫６を紙幣入出金装置１に着脱する動作することなく、各収納放出庫５ａ、５ｂ，５ｃ毎に連続で行うことで、現金自動取引装置１０１内の紙幣枚数を計数することができる。
【実施例２】
【００３４】
次に、本発明の第２の実施例を説明する。第２の実施例では、図１９，２０に示すように装填回収庫６内の紙幣繰出又は集積部を装置後面側に配置する。他に、一時スタッカ４と収納放出庫５とを接続する第１搬送路から分岐して、その分岐点と装填回収庫６の紙幣操出集積部とを接続する第２搬送路を設け、この第２搬送路を紙幣の双方向搬送が可能な構成としている。
【００３５】
第１実施例でも分かるように、一時スタッカ４と収納放出庫５とを接続する第１搬送路（搬送路８の一部）は紙幣を双方向に搬送するため、装置全体の搬送路構成も簡素で、その分紙幣のジャム発生も低くなるなどの効果がある。一方、図３，４で図示するように、その第１搬送路に沿って装填回収庫６の紙幣操出又は集積部を配置すると、図１３〜１８で説明した装填、回収処理、動作において、一時スタッカ４に一時的に紙幣を保管するため、その一時保管のための紙幣量によって、複数回の装填、回収動作を繰り返す必要があり、時間がかかる。判別部３により紙幣の金種、枚数、搬送状態などを判別するためでもあり、搬送路が双方向搬送可能な構成となっているためでもある。
【００３６】
第２実施例では一時スタッカ４への紙幣一時保管処理を省略することで、装填又は回収処理を時間短縮可能な装置レイアウトを示している。
【００３７】
図１９は収納放出庫５に紙幣を装填（補充も含む）処理、動作を示しており、装填回収庫６の紙幣繰出部から紙幣を繰り出し後、第２搬送路から第１搬送路へ紙幣を搬送し、紙幣判別部３において金種および搬送状態等を判別する。続いて、一時スタッカ４に紙幣を一時的に集積することなく、判別部３の紙幣の判別結果に応じて各金種別の収納放出庫５ａ、５ｂ，５ｃに集積する。このように、一時スタッカ４を介することなく、装填処理を実行するため、装填回収庫６からの操出動作も一旦停止することなく、連続して全ての紙幣の装填が可能となる。
【００３８】
図２０は収納放出庫５からの紙幣の回収処理、動作を示している。回収処理が動作すると、各金種別の収納放出庫５ａ、５ｂ，５ｃから紙幣を繰り出し、第１搬送路上の紙幣判別部３において金種等を判別後、第２搬送路に紙幣を搬送し、直接装填回収庫６内の紙幣集積部によってその内部に集積し、紙幣を回収する。ここでも一時スタッカ４は介在しないので、装填回収庫６に収納される紙幣が満杯になるまで、又は収納放出庫５の紙幣が空になるまで、連続して回収処理を実行することができる。
【００３９】
なお、図１９の装填処理において、判別部３にてリジェクト紙幣が検知された場合は、点線が示す装填リジェクト庫１２内に搬送、集積する。図２０の回収処理でのリジェクト紙幣は一旦一時スタッカ４に保管し、回収動作が終了した後に、一時保管されたリジェクト紙幣をリジェクト庫７に収納する。
【００４０】
以上説明したように、本発明では、収納放出庫５ａ、５ｂ，５ｃは紙幣入出金装置１前面から見て奥行方向に並列に配置し、装填回収庫６は収納放出庫５ａ、５ｂ，５ｃとリジェクト庫７に対して上下積層方向に配置する。よって金種の増加による収納放出庫７を入手金口２の高さ方向の制約を受けること無く自由に増設することができる。さらにリジェクト庫７は収納放出庫５ａ、５ｂ，５ｃと同じように紙幣入出金装置１前面から見て奥行方向に並列に配置するため、入出金口２の高さの制約による容量制限を受けることがなく、大容量とすることができるので、リジェクト庫７の満杯による装置ダウンを防止することができる。また、リジェクト庫７は装置の運用／保守形態に合わせて収納放出庫５ａ、５ｂ，５ｃの前面側又は後面側に配置したりすることが可能であり、さらに、図４に示すリジェクト庫と図３に示すリジェクト庫の形状が対称になっているだけで同一形状であることから、どちらの装置にも適用できるので装置運用や保守の効率が良い装置が提供できる。また、装填回収庫６は横置型構造を有し、装填回収庫６の前側に配置する紙幣搬送路８ａが開閉可能であることから、装填回収庫６の前面側からの着脱可能な構成となり、装置運用性／保守性がよい。さらには、収納放出庫５ａ、５ｂ，５ｃやリジェクト庫７で構成される紙幣収納部と搬送路８は一本の搬送路で接続される構造を有することから、ジャムが発生する可能性が低くなり、また、万一発生したとしても、ジャム除去性がよい、ジャムによる復旧作業にかかる時間が少ない等、保守性がよい装置が提供できる。もちろん搬送路が短いことから装置が小型化できるのは言うまでもない。
【００４１】
また、第２の実施例では、装填及び回収動作時に一時スタッカへの一時的な集積を行わないために、動作時間の短縮を図ることができ、多金種を取り扱う装置での装填及び回収動作時間の短縮を図ることができる。
【図面の簡単な説明】
【００４２】
【図１】現金自動取引装置の一実施例の外観を示す斜視図である。
【図２】現金自動取引装置の一実施例の制御機構を示す図である。
【図３】紙幣入出金装置の構成を示す図である。
【図４】紙幣入出金装置の構成を示す図である。
【図５】紙幣入出金装置の構成を示す図である。
【図６】紙幣入出金装置の制御機構を示す図である。
【図７】本実施例の入金動作を示す図である。
【図８】本実施例の入金動作を示す図である。
【図９】本実施例の入金動作のフロー図である。
【図１０】本実施例の出金動作を示す図である。
【図１１】本実施例の出金動作を示す図である。
【図１２】本実施例の出金動作のフロー図である。
【図１３】本実施例の紙幣装填の動作を示す図である。
【図１４】本実施例の紙幣装填の動作を示す図である。
【図１５】本実施例の紙幣装填のフロー図である。
【図１６】本実施例の紙幣回収の動作を示す図である。
【図１７】本実施例の紙幣回収の動作を示す図である。
【図１８】本実施例の紙幣回収のフロー図である。
【図１９】本発明の別の実施例の紙幣装填の動作を示す図である。
【図２０】本発明の別の実施例の紙幣回収の動作を示す図である。
【符号の説明】
【００４３】
１…紙幣入出金装置、２…入出金口、３…紙幣判別部、４…一時スタッカ、５ａ、５ｂ、５ｃ…収納放出庫、６…装填回収庫、７…リジェクト庫、８、８ａ…搬送路、９…記憶部データベース、１０…制御部、１１…取り忘れ回収庫、１２…装填リジェクト庫、１３…扉、１０１…現金自動取引装置、１０２…カード／明細票処理機構、１０３…通帳処理機構、１０４…筐体、１０５…利用者操作部、１０６…本体制御部、１０７…インタフェース部、１０８…係員操作部、１０９…外部記憶装置、１１０…バス、１１１…電源部
【図１】
2005208954.tif 000003
【図２】
2005208954.tif 000004
【図３】
2005208954.tif 000005
【図４】
2005208954.tif 000006
【図５】
2005208954.tif 000007
【図６】
2005208954.tif 000008
【図７】
2005208954.tif 000009
【図８】
2005208954.tif 000010
【図９】
2005208954.tif 000011
【図１０】
2005208954.tif 000012
【図１１】
2005208954.tif 000013
【図１２】
2005208954.tif 000014
【図１３】
2005208954.tif 000015
【図１４】
2005208954.tif 000016
【図１５】
2005208954.tif 000017
【図１６】
2005208954.tif 000018
【図１７】
2005208954.tif 000019
【図１８】
2005208954.tif 000020
【図１９】
2005208954.tif 000021
【図２０】
2005208954.tif 000022